(57)【要約】【課題】遊技場に存在する他の音の影響を大きく受けることなく、音による臨場感に溢れる演出効果が充分に得られる遊技機を提供すること。【解決手段】前面開口を有する本体筐体と、上記前面開口を略覆う大きさを有し、該前面開口を開閉可能に上記本体筐体に支持された扉体基部と、停止され得る複数の図柄が変動表示される可変表示部とを備えた遊技機であって、上記扉体基部には、上記可変表示部より上側に、バスレフダクトがスピーカキャビネット内に収められたバスレフ型スピーカが設けられており、上記バスレフ型スピーカは、当該遊技機に設けられた制御部から供給される音信号により、遊技状況に応じた音を出力することを特徴とする遊技機。【選択図】　　　図２
2004024359.tif 000002
【特許請求の範囲】
【請求項１】
前面開口を有する本体筐体と、
前記前面開口を略覆う大きさを有し、該前面開口を開閉可能に前記本体筐体に支持された扉体基部と、
停止され得る複数の図柄が変動表示される可変表示部とを備えた遊技機であって、
前記扉体基部には、前記可変表示部より上側に、バスレフダクトがスピーカキャビネット内に収められたバスレフ型スピーカが設けられており、
前記バスレフ型スピーカは、当該遊技機に設けられた制御部から供給される音信号により、遊技状況に応じた音を出力することを特徴とする遊技機。
【請求項２】
前面開口を有する本体筐体と、
前記前面開口を略覆う大きさを有し、該前面開口を開閉可能に前記本体筐体に支持された扉体基部と、
遊技機前面部に配される複数個の機能部材を配置領域別に１個又は複数個の単位でそれぞれユニット化してなる複数個の機能部材ユニットとを備え、
前記機能部材ユニットの少なくとも一部が、前記扉体基部の対応する取付領域に着脱可能とされてなる遊技機であって、
前記扉体基部には、停止され得る複数の図柄が変動表示される可変表示部と、バスレフダクトがスピーカキャビネット内に収められたバスレフ型スピーカとが、着脱可能に設けられるとともに、前記バスレフ型スピーカは、前記可変表示部より上側に設けられ、さらに、
前記バスレフ型スピーカは、当該遊技機に設けられた制御部から供給される音信号により、遊技状況に応じた音を出力することを特徴とする遊技機。
【請求項３】
前記バスレフ型スピーカは、密閉型のスピーカキャビネットを有し、該スピーカキャビネット内に収められたバスレフダクトが当該遊技機の正面側に開口を有するように配置されている請求項１又は２に記載の遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
従来から、遊技機にはスピーカが設けられており、該スピーカから遊技状況に応じてバックグラウンドミュージックや効果音や音声等を出力することにより、遊技を盛り上げ遊技者の遊技に対する興味や興奮を高める演出が行われている。
例えば、パチンコ機においては、図柄の変動表示されているときにスピーカから効果音を出力することによってリーチを予告したり、大当たりが発生したときにスピーカからバックグラウンドミュージックを出力したりすることによって大当たりの雰囲気を盛り上げる演出が行われている。
【０００３】
特に、近時、音のよる演出が重要視される傾向にあるとともに、出力される音の音質等も演出効果を高める要素の一つとして注目されており、そのような遊技機として、前面開口を有する本体筐体の枠部にスピーカが設けられた遊技機（特開２０００−２９６２１２号公報参照）などが知られている。
この遊技機は、本体筐体が有する前面開口を覆うように遊技盤が設けられており、遊技盤の周囲に位置することとなる本体筐体の枠部の一部（遊技盤の左右両側や遊技盤の右上側と左上側）に、スピーカが設けられているものである。
このような遊技機によれば、本体筐体の下側にスピーカが設けられた遊技機と比べると、スピーカが遊技者の頭の近くに位置することになるため、遊技場（所謂パチンコホール）においても、遊技者がスピーカから出力される音を聞き取りやすくなる。
【０００４】
また、近時、出力される音の音質を改善することにより演出効果を高めるために、バスレフ型スピーカが搭載された遊技機が提供されている。
このバスレフ型スピーカは、スピーカユニットの背面から発せられる音を利用して空気を共振させて重低音を増幅させる構造を有したスピーカであり、スピーカキャビネットにバスレフダクト（バスレフポート）が設けられ、このバスレフダクトから、該スピーカユニットの背面から発せられる音を放出する。
このようなバスレフ型スピーカが搭載された遊技機では、該バスレフ型スピーカから、特に重低音が増幅されて出力されるため、臨場感に溢れる演出を行うことができ、遊技者の遊技に対する興味や興奮を高揚させることが可能となる。
【０００５】
【発明が解決しようとする課題】
しかしながら、音の伝達には多くの複雑な要素が関連し、また、遊技場では他にも多くの音（例えば、遊技球やメダルが互いに衝突する音や、遊技場の店内放送等）が存在するため、単に、遊技機にバスレフ型スピーカを設けただけでは、出力される音の音質を改善することができても、その音を充分に遊技者に伝達することができず、臨場感に溢れる演出を行うことは困難である。
また、上述した本体筐体の枠部にスピーカが設けられた遊技機においても、本体筐体の枠部にスピーカが設けられているため、遊技を行う遊技者の頭の正面にスピーカを位置させることができず、結局、スピーカから出力される音を充分に遊技者の頭まで到達させることができないという問題があった。
【０００６】
ところで、現在の遊技機においては、遊技機前面部に種々の機能部材（例えば、スロットマシンにおける操作レバーやストップスイッチ、液晶表示装置、スピーカ等）が配されているのであるが、近年においては、扉体を複数の部分に分割して構成し、機種変更時等に交換が必要な機能部材が組み付けられている扉体部分のみを交換することにより、機種変更等に速やかに対応できるように構成された遊技機（特開２００１−９５９７３号公報参照）や、表示ユニットを着脱可能に収容する中枠を設けて、保守作業を容易とした遊技機（特許第２５６２３３０号公報参照）なども知られている。しかし、これまでの遊技機は、各機能部材を単独で容易に交換し得るように構成されておらず、このことが、保守費用を高くする要因となっており、機種変更する際に多大な費用がかかるという問題となっていた。また、各機能部材を単独で容易に交換し得るように構成されていないということは、一の機能部材を交換する際に交換を必要としない他の機能部材までも交換しなければならなくなるため、資源の有効利用という点からも望ましいことではなかった。
【０００７】
そこで、本出願人は、先に、本体筐体に備えられた扉体に各種の機能部材が着脱自在に設けられた遊技機について出願した。このような遊技機であれば、遊技機前面部に配される機能部材に関して、機種交換や修理交換の際に機能部材を部分的に交換することや、交換した機能部材を再利用することが可能であり、交換に要する費用の低減、資源の有効利用を図り得る遊技機を提供することが可能となる。
【０００８】
このような本体筐体に備えられた扉体に各種の機能部材が着脱自在に設けられた遊技機においても、上述したように、音による臨場感に溢れる演出効果が充分に得られるか否かが問題となる。例えば、バスレフ型スピーカが設けられた従来の遊技機においては、臨場感のある演出を行うために、バスレフ型スピーカから導出したバスレフダクトを遊技機の内部を通して遊技機の下側まで伸ばした遊技機などが知られている。しかしながら、このような遊技機では、遊技機内の構造が複雑化して、各種機能部材の交換が煩雑となるため、交換に要する費用の低減、資源の有効利用を図ることが困難となる。また、バスレフダクトを遊技機の下側まで伸ばしているため、他にも多くの音が存在する遊技場においては、臨場感に溢れる演出効果を得ることは困難である。このような点において、本出願人が先に出願した遊技機には未だ改善の余地があった。
【０００９】
本発明は上述した課題に鑑みてなされたものであり、その目的は、遊技場に存在する他の音の影響を大きく受けることなく、音による臨場感に溢れる演出効果を充分に得ることができる遊技機を提供することにある。
また、本発明は、遊技機前面部に配される機能部材に関して、機能交換や修理交換の際に機能部材を部分的に交換することや、交換した機能部材を再利用することが可能であり、交換に要する費用の低減、資源の有効利用を図ることができ、さらに、遊技場に存在する他の音の影響を大きく受けることなく、音による臨場感に溢れる演出効果を充分に得ることができる遊技機を提供することも目的とする。
【００１０】
【課題を解決するための手段】
以上のような目的を達成するために、本発明は、バスレフダクトがスピーカキャビネット内に収められたバスレフ型スピーカが、可変表示部より上側に設けられた遊技機を提供する。
また、本発明は、扉体に各種の機能部材ユニットが着脱可能に設けられた遊技機であって、扉体には、停止され得る複数の図柄が変動表示される可変表示部と、バスレフダクトがスピーカキャビネット内に収められたバスレフ型スピーカとが、着脱可能に設けられ、さらに、上記バスレフ型スピーカは、上記可変表示部より上側に設けられていることを特徴とする遊技機を提供する。
【００１１】
より具体的には、本発明は、以下のようなものを提供する。
（１）前面開口を有する本体筐体と、
上記前面開口を略覆う大きさを有し、該前面開口を開閉可能に上記本体筐体に支持された扉体基部と、
停止され得る複数の図柄が変動表示される可変表示部とを備えた遊技機であって、
上記扉体基部には、上記可変表示部より上側に、バスレフダクトがスピーカキャビネット内に収められたバスレフ型スピーカが設けられており、
上記バスレフ型スピーカは、当該遊技機に設けられた制御部から供給される音信号により、遊技状況に応じた音を出力することを特徴とする。
【００１２】
通常、遊技機において、可変表示部は遊技者が見やすい位置、すなわち、遊技者の頭の正面又は頭の正面より若干下側に設けられる。従って、（１）の発明によれば、可変表示部より上側に設けられたバスレフ型スピーカは、遊技者の頭の略正面に位置することになるため、遊技者の頭に極めて近い位置から、重低音が増幅されて音質が改善された音を出力することが可能となる。その結果、他の多くの音が存在する遊技場においても、臨場感に溢れた演出を行うことができる。
また、遊技者の顔は着衣によって覆われていないため、遊技者の顔の略正面から、重低音が増幅されて音質が改善された音を遊技状況に応じて出力することにより、遊技者に肌で重低音が増幅された音を体感させることができ、大当たり（例えば、ビッグボーナスゲーム等）が発生したときには、遊技者の遊技に対する興奮や期待感を高揚させることができる。
【００１３】
さらに、本発明は、以下のようなものを提供する。
（２）前面開口を有する本体筐体と、
上記前面開口を略覆う大きさを有し、該前面開口を開閉可能に上記本体筐体に支持された扉体基部と、
遊技機前面部に配される複数個の機能部材を配置領域別に１個又は複数個の単位でそれぞれユニット化してなる複数個の機能部材ユニットとを備え、
上記機能部材ユニットの少なくとも一部が、上記扉体基部の対応する取付領域に着脱可能とされてなる遊技機であって、
上記扉体基部には、停止され得る複数の図柄が変動表示される可変表示部と、バスレフダクトがスピーカキャビネット内に収められたバスレフ型スピーカとが、着脱可能に設けられるとともに、上記バスレフ型スピーカは、上記可変表示部より上側に設けられ、さらに、
上記バスレフ型スピーカは、当該遊技機に設けられた制御部から供給される音信号により、遊技状況に応じた音を出力することを特徴とする。
【００１４】
（２）の発明によれば、機能部材の一部に何らかの不具合が生じた場合には、その機能部材を有する機能部材ユニットのみを交換することにより、速やかに機能復帰を実行することが可能になる。
また、交換のために取り外した機能部材ユニットは、工場等において部品交換等の修理を行うことにより再利用をすることが可能であり、資源の有効利用を図ることが可能となる。
また、機種変更に際しても、機能部材ユニットの全部を交換する方法以外に、それらの一部のみを交換する方法により対処することが可能であり、機種変更の態様の多様化及び費用低減化を図ることが可能となる。
【００１５】
また、可変表示部より上側に設けられたバスレフ型スピーカは遊技者の頭の略正面に位置することになるため、遊技者の頭に極めて近い位置から、重低音が増幅されて音質が改善された音を出力することが可能となる。その結果、他の多くの音が存在する遊技場においても、臨場感に溢れた演出を行うことができる。
また、遊技者の顔は着衣によって覆われていないため、遊技者の顔の略正面から、重低音が増幅されて音質が改善された音を遊技状況に応じて出力することにより、遊技者に肌で重低音が増幅された音を体感させることができ、大当たり（ビッグボーナスゲーム）が発生したときには、遊技者の遊技に対する興奮や期待感を高揚させることができる。
【００１６】
さらに、バスレフダクトがスピーカキャビネット内に収められているため、遊技機内の構造が複雑にならず、遊技機の組み立て作業や、機能部材ユニットの交換作業を容易に行うことができ、交換に要する費用の低減や、資源の有効利用等の効果を充分に得ることが可能となる。
【００１７】
さらに、本発明は、以下のようなものを提供する。
（３）　上記（１）又は（２）に記載の遊技機であって、
上記バスレフ型スピーカは、密閉型のスピーカキャビネットを有し、該スピーカキャビネット内に収められたバスレフダクトが当該遊技機の正面側に開口を有するように配置されていることを特徴とする。
【００１８】
（３）の発明によれば、スピーカキャビネット内に収められたバスレフダクトの開口が、当該遊技機の正面方向へ向けて開放されており、バスレフダクトによって増幅された重低音の空気圧を遊技者の顔に向けて吹き付けるように音を出力することができるため、遊技者に肌で重低音が増幅された音を強く体感させる迫力のある演出を行うことができ、大当たり（例えば、ビッグボーナスゲーム等）が発生したときには、遊技者の遊技に対する興味や期待感を飛躍的に高揚させることができる。
【００１９】
以下の説明において、バスレフダクトがスピーカキャビネット内に収められたバスレフ型スピーカが、可変表示部より上側に設けられた本発明の遊技機を、第一の本発明の遊技機ともいうことする。
また、扉体に各種の機能部材ユニットが着脱可能に設けられた遊技機であって、扉体には、停止され得る複数の図柄が変動表示される可変表示部と、バスレフダクトがスピーカキャビネット内に収められたバスレフ型スピーカとが、着脱可能に設けられ、さらに、上記バスレフ型スピーカは、上記可変表示部より上側に設けられた本発明の遊技機を、第二の本発明の遊技機ともいうこととする。
なお、両者を特に区別しない場合、第一の本発明の遊技機と、第二の本発明の遊技機とをあわせて、本発明の遊技機ということとして説明する。
【００２０】
［用語の定義等］
「扉体基部」とは、本体筐体が有する前面開口を略覆う大きさを有し、該前面開口を開閉可能に本体筐体に支持されるものをいう。
第二の本発明の遊技機において、上記扉体基部には、後述する機能部材ユニットが着脱可能に取り付けられる取付領域が設けられている。
一方、第一の本発明の遊技機において、上記扉体基部には、後述する機能部材ユニットが固定配置されることとしてもよく、第二の本発明の遊技機と同様に、機能部材ユニットが着脱可能に取り付けられる取付領域が設けられていてもよい。
【００２１】
「機能部材」とは、例えば、操作ボタンや駆動機構等の機械部材、コネクタやＬＥＤ等の電気部材、ＣＰＵや液晶パネル等の電子部品、透明板や広告板等のパネル部材、スピーカ装置や照明装置等の演出部材等、遊技に直接関わる部材やその周辺に配される部材一般をいう。なお、第二の本発明の遊技機において、可変表示部は扉体基部に設けられるのであるが、本体筐体に設けられることとしてもよい。
【００２２】
「機能部材ユニット」とは、上述した機能部材の１個又は複数個をユニット化したものをいう。
第一の本発明の遊技機において、上記機能部材ユニットは、上記した扉体基部の取付領域に固定配置される。ただし、扉体基部に機能部材ユニットが着脱可能に取り付けられる取付領域に設けられている場合には、機能部材ユニットは取付領域に着脱可能に取り付けられることとなる。
第二の本発明の遊技機において、上記機能部材ユニットは、上記した扉体基部の取付領域に着脱可能に取り付けられるが、必ずしも、全ての機能部材ユニットが、着脱可能に取り付けられることはなく、上記機能部材ユニットのなかには、上記扉体基部に固定されて取り付けられるものが存在してもよい。
【００２３】
「バスレフ型スピーカ」とは、スピーカユニットの背面から発せられる音を利用して空気を共振させて重低音を増幅させる構造を有したスピーカであって、スピーカキャビネットにバスレフダクト（バスレフポート）が設けられ、このバスレフダクトから、スピーカユニットの背面から発せられる音を放出することができる構造を有するスピーカをいう。
以下、バスレフ型スピーカについて図面を用いて詳述する。
図１（ａ）〜（ｂ）は、本発明の遊技機に設けられるバスレフ型スピーカの一例を模式的に示した図である。
【００２４】
図１（ａ）は、本発明の遊技機に設けられるバスレフ型スピーカの一例を模式的に示した斜視図である。
バスレフ型スピーカ２００は、その内部にバスレフダクト２０１（図示せず）が収められたスピーカキャビネット２０４と、スピーカキャビネット２０４に設けられたスピーカユニット２０５を含んで構成されている。なお、図中では、スピーカユニット２０５に接続された配線等は図示していない。
【００２５】
スピーカユニット２０５は、コーン紙等の振動体を有するものであり、このスピーカユニット２０５に供給される音信号（電気信号）により当該振動体が振動することによって、音を発生させるものである。なお、本発明に係るバスレフ型スピーカに用いられるスピーカユニットとしては、特に限定されるものではなく、従来公知のスピーカユニットを用いることができる。
また、スピーカユニット２０５に設けられた振動体が振動することによって生じる音は、勿論、スピーカユニット２０５の正面側（図中では、手前側）に発せられるが、スピーカユニット２０５の裏側（図中では、奥側）にも発せられることになる。
【００２６】
スピーカキャビネット２０４は、樹脂等からなる筐体であり、スピーカユニット２０５を支持するとともに、スピーカユニット２０５の裏側から発せられる音とスピーカユニット２０５の正面側から発せられる音とがそのまま混ざり合うことを防止するものである。スピーカキャビネット２０４の正面の右上側には、スピーカキャビネット２０４内を収められたバスレフダクト２０１の開口２０１ａが設けられている。
【００２７】
図１（ｂ）は、図１（ａ）に示したバスレフ型スピーカのＡ−Ａ線断面図である。なお、図中、破線により示した矢印は、スピーカユニット２０５の正面側に発せられる音を示し、二点鎖線により示した矢印は、スピーカユニット２０５の裏側から発せられる音を示す。
【００２８】
バスレフダクト２０１は、スピーカキャビネット２０４内に設けられた筒状体であり、その両側に開口２０１ａ及び２０１ｂが設けられており、その２つの開口２０１ａ及び２０１ｂのうち、開口２０１ａは、スピーカキャビネット２０４の正面方向へ向けて開放されている。
【００２９】
上述したバスレフ型スピーカ２００において、スピーカユニット２０５に設けられた振動体が振動することによって生じる音は、図１（ｂ）に示すように、スピーカユニット２０５の正面側に発せられ、また、スピーカユニット２０５の裏側にも発せられることになる。
スピーカユニット２０５の裏側に発せられた音の一部は、図１（ｂ）に示すように、スピーカキャビネット２０４の内壁や、バスレフダクト２０１の外壁で反射しながら、バスレフダクト２０１の開口２０１ｂからバスレフダクト２０１内に入り、バスレフダクト２０１の開口２０１ａから、スピーカキャビネット２０４の外部に放出される。
なお、バスレフダクト２０１は、スピーカユニット２０５から発せられる音を利用して空気を共振させて重低音を増幅させるように、その容積等が計算されているため、バスレフ型スピーカ２００を用いることにより、バスレフダクト２０１の開口２０１ａから、特に重低音が増幅された音を出力することが可能になる。
【００３０】
本発明の遊技機では、上述したようなバスレフ型スピーカが設けられているため、特に重低音が増幅された音を出力することができ、臨場感に溢れる演出を行い、遊技者の遊技に対する興味や興奮を飛躍的に高揚させることが可能になる。
【００３１】
なお、図１では、１つのバスレフ型スピーカについて説明したが、本発明の遊技機では、当該遊技機の右側と左側とにそれぞれ１個ずつ左右対称にバスレフ型スピーカが設けられていることが望ましい。ステレオ効果によってさらに臨場感に溢れる演出を行うことができ、遊技者の遊技に対する興味や興奮の更なる向上を図ることができるからである。
【００３２】
「バスレフダクトがスピーカキャビネット内に収められた」とは、図１に示したように、バスレフダクトがスピーカキャビネットの外部に導出されていないことをいう。
「バスレフ型スピーカは、密閉型のスピーカキャビネットを有する」とは、バスレフダクトがスピーカキャビネットの外部に導出されていないことをいい、スピーカが密閉型であるというものではない。
本発明の遊技機は、バスレフダクトがスピーカキャビネット内に収められたバスレフ型スピーカが設けられているため、遊技機内の構造が複雑にならず、遊技機の組み立て作業や、機能部材ユニットの交換作業を容易に行うことができ、交換に要する費用の低減や、資源の有効利用等の効果を充分に得ることができる。
【００３３】
なお、バスレフダクトが設けられておらず、単に、スピーカキャビネットに開口が設けられているスピーカであっても、バスレフ型スピーカとしての機能を有するスピーカは、本発明の遊技機に係るバスレフ型スピーカに該当する。
バスレフダクトがスピーカキャビネットの外部に導出されておらず、上述した本発明の効果と同様の効果を得ることができるからである。
【００３４】
「バスレフ型スピーカは、可変表示部より上側に設けられている」とは、バスレフ型スピーカが可変表示部の上側に設けられていることをいい、さらに、可変表示部の斜め上側に設けられていることを含む。
本発明では、バスレフ型スピーカが可変表示部より上側に設けられているため、遊技者の頭の近くにバスレフ型スピーカが位置することとなり、遊技場に存在する他の多くの音の影響を大きく受けることなく、遊技者に音を伝達させることができる。従って、本発明によれば、音による臨場感に溢れる演出効果が充分に得られる遊技機を提供することができる。
なお、上記バスレフ型スピーカは、上記可変表示部の直上に設けられていることが望ましい。遊技者の頭の正面であって遊技者の頭に最も近い位置に、バスレフ型スピーカを位置させることができるため、本発明の効果を充分に得ることができるからである。
【００３５】
本発明では、図１に示すように、スピーカキャビネット内に収められたバスレフダクトが遊技機の正面側に開口を有するように配置されていることが望ましい。バスレフダクトによって増幅された重低音の空気圧を遊技者の頭へ向けて放出することができ、音による臨場感に溢れる演出効果を飛躍的に高めることが可能になるからである。
【００３６】
「制御部」とは、ＣＰＵ（Ｃｅｎｔｒａｌ　Ｐｒｏｃｅｓｓｉｎｇ　Ｕｎｉｔ）、ＲＡＭ（Ｒａｎｄｏｍ　ＡｃｃｅｓｓＭｅｍｏｒｙ）、ＲＯＭ（Ｒｅａｄ　Ｏｎｌｙ　Ｍｅｍｏｒｙ）等を備えた基板等からなるものであり、大当たり（ビッグボーナスゲーム）を発生させるか否かを発生させる大当たり抽選等を行い、各機能部材を主導的に制御することにより遊技の進行を行うものをいう。上記制御部は、複数枚の基板から構成されていてもよい。
【００３７】
「音信号」とは、上述した制御部からバスレフ型スピーカに供給される電気信号であって、該バスレフ型スピーカによって音を発生させる信号をいう。
「遊技状況に応じた音」とは、上述した大当たり抽選の結果に応じた音をいい、バックグラウンドミュージック、音声、効果音等が含まれる。また、スタートレバー操作音、エラー音等についても、遊技状況に応じた音に含まれる。
以下においては、第二の本発明の遊技機について説明することとする。なお、第一の本発明の遊技機は、各機能部材が扉体基部に固定配置されていることを除くと、第二の本発明の遊技機と略同様である。
【００３８】
【発明の実施の形態】
以下、図面に基づいて、本発明に係る遊技機の実施形態を説明する。なお、以下の説明では、代表的な遊技機としてスロットマシンを例にとって説明する。
【００３９】
＜スロットマシン槻要＞
図３は、本発明に係るスロットマシンの一実施形態を示す斜視図である。図３に示すスロットマシン１は、遊技場の島設備等に設置される本体筐体２と、この本体筐体２の前面開口（不図示）を開閉可能なように、その右側辺部を開放端側とすると共に、その左側辺部を回動軸端側として、本体筐体２に支持された前面扉体３とを備えている。詳しくは図２を参照しながら後述するが、この前面扉体３は、扉体基部１０と、この扉体基部１０に取り付けられた各種の機能部材ユニットとを備えてなる。また、上記本体筐体２の内部には、遊技者を臨む位置に回転可能に配置された複数個（例えば、３個）のリールを備えた可変表示部３９や、スロットマシン１を電気的に制御するための制御装置（不図示）が設けられている。
【００４０】
＜前面扉体の構成＞
図２は、上記前面扉体３の構成を示す分解斜視図である。図２に示すように前面扉体３は、上記本体筐体２（図３参照）の前面開口を覆う大きさを有する扉体基部１０と、上述の機能部材ユニットとして、上部ユニット２０、リールパネルユニット３０、操作部ユニット４０、腰部ユニット５０、下部ユニット６０、左サイドランプユニット７０Ｌ、右サイドランプユニット７０Ｒの計７個の機能部材ユニットとを備えている。
【００４１】
扉体基部１０は、図示したような矩形状の枠部１１と、この枠部１１の左側辺部１１Ｌと右側辺部１１Ｒとを、それぞれ連結する４個の連結部１２Ａ〜１２Ｄとを備え、これらの連結部１２Ａ〜１２Ｄにより、上部ユニット取付領域１３、リールパネルユニット取付領域１４、操作部ユニット取付領域１５、腰部ユニット取付領域１６、下部ユニット取付領域１７の計５個のユニット取付領域に、上下方向に区分されている。また、扉体基部１０の左側辺部１１Ｌの後部には、ヒンジ部８１Ａ，８１Ｂを備えた長蝶番部材８０がビス止めされており、右側辺部１１Ｒの後部には、錠装置９１を備えた補強杆部材９０がビス止めされている。これら長蝶番部材８０および補強杆部材９０は、扉体基部１０の剛性を高める機能も有している。
【００４２】
上部ユニット２０は、上部ユニット基部２１、左右一対のバスレフ型スピーカ２９、スピーカカバー２２Ｌ，２２Ｒ、画像表示装置（不図示）、表示窓２３、装飾用ＬＥＤ（不図示）、レンズカバー２４、ＬＥＤ用基板、液晶パネル、コネクタ（いずれも不図示）等の各種複数個の機能部材をユニット化してなり、扉体基部１０の上部ユニット取付領域１３に、四隅をビス止めされて取り付けられる。なお、図中では、説明の便宜上、上部ユニット２０と、バスレフ型スピーカ２９とを分離して示している。
【００４３】
また、バスレフ型スピーカ２９の正面側には、バスレフ型スピーカ２９の内部に設けられたバスレフダクトの開口２９Ａが設けられており、当該バスレフダクトを介して、特に重低音が増幅された音を出力することができる。
なお、バスレフ型スピーカ２９については、図１に示すバスレフ型スピーカ２００と略同様であり、既に説明済であるので、ここでの説明は省略する。
さらに、スロットマシン１では、右側と左側とにそれぞれ１個ずつ左右対称にバスレフ型スピーカ２９が設けられているため、ステレオ効果によってさらに臨場感に溢れた演出を行うことができ、遊技者の遊技に対する興味や興奮の更なる向上を図ることができる。
【００４４】
リールパネルユニット３０は、リールパネル３１単独からなり、扉体基部１０のリールパネルユニット取付領域１４に、扉体基部１０の右側辺部１１Ｒ側から差し込まれるように取り付けられる。
このリールパネル３１は、例えば、アクリル製の透明な板状体であり、また、本体筐体２には、このリールパネル３１に相当する箇所に、複数個のリールを備えた可変表示部３９が設けられている。
【００４５】
従って、スロットマシン１では、可変表示部３９より上側に、バスレフ型スピーカ２９が設けられていることになる。
このように、スロットマシン１では、可変表示部３９より上側にバスレフ型スピーカ２９が設けられているため、遊技者の頭の近くにバスレフ型スピーカ２９が位置することとなり、遊技場に存在する他の多くの音の影響を受けることなく、遊技者に音を伝達させることができる。
【００４６】
操作部ユニット４０は、操作部ユニット基部４１、遊技情報を表示するための画像表示装置（不図示）、表示窓４２、メダル投入口４３、遊技メダルの投入を条件として可変表示部３９に設けられた各リールの回転を開始させるためのスタートレバー４４、各リールに個別に対応して各リールの回転を停止させるための３個のストップスイッチ４５Ａ〜４５Ｃ、その他の操作スイッチ、コネクタ（不図示）等の各種複数個の機能部材をユニット化してなり、扉体基部１０の操作部ユニット取付領域１５に、四隅をビス止めされて取り付けられる。
【００４７】
腰部ユニット５０は、化粧用の腰部パネル５１単独からなり、扉体基部１０の腰部ユニット取付領域１６に、扉体基部１０の右側辺部１１Ｒ側から差し込まれるように取り付けられる。
【００４８】
下部ユニット６０は、メダルトレイ６１単独からなり、扉体基部１０の下部ユニット取付領域１７に取り付けられる。なお、上述した、上部ユニット取付領域１３、リールパネルユニット取付領域１４、および操作部ユニット取付領域１５は、前後方向が共に開放されているのに対して、腰部ユニット取付領域１６および下部ユニット取付領域１７は、後方側に壁部を有している。また、腰部ユニット取付領域１７の壁部の裏面には、上述したような制御基板（図示せず）が取り付けられている。下部ユニット取付領域１７の壁部の略中央にはメダル排出口１８が形成されており、このメダル排出口１８の後部には、メダルトレイ６１に遊技メダルを導くためのキャンセルシュート１９が取り付けられている。
【００４９】
左サイドランプユニット７０Ｌおよび右サイドランプユニット７０Ｒは、サイドレンズカバー７１、装飾用ＬＥＤ、ＬＥＤ用基板、コネクタ（いずれも不図示）等の各種複数個の機能部材をそれぞれユニット化してなる。これら左サイドランプユニット７０Ｌおよび右サイドランプユニット７０Ｒは、上述のごとく扉体基部１０に取り付けられた、上部ユニット２０、リールパネルユニット３０、操作部ユニット４０、腰部ユニット５０、下部ユニット６０の各機能部材ユニットを左右両方向から挟むように、扉体基部１０の左側辺部１１Ｌおよび右側辺部１１Ｒにそれぞれ取り付けられるサイド部材を構成している。そして、これら左サイドランプユニット７０Ｌおよび右サイドランプユニット７０Ｒを取り付けることにより、装飾効果や演出効果を高めることができるという効果の他に、リールパネルユニット３０や操作部ユニット４０を許可無く取り外すといった不正行為が行なわれ難くするという効果も得られる。
【００５０】
上述した各機能部材ユニットは、扉体基部１０のそれぞれ対応する各取付領域に対して着脱可能に構成されている。したがって、機能部材の一部に何らかの不具合が生じた場合には、その機能部材を有する機能部材ユニットのみを交換することにより、速やかに機能復帰を実現することが可能となる。例えば、スタートレバー４４の作動状態に不具合が生じた場合には、操作部ユニット４０を別のものに交換すればよい。交換のため取り外した機能部材ユニットは、工場等において部品交換等の修理を行なうことにより再利用することが可能であり、資源の有効利用を図ることが可能となっている。
【００５１】
また、機種変更に際しても、機能部材ユニットの全部を交換する方法以外に、それらの一部のみを交換する方法により対処することが可能であり、機種変更の態様の多様化および費用低減化を図ることが可能となっている。さらに、扉体基部１０を全機種あるいは複数機種間において共通化すれば、各機能部材ユニットの交換、再利用がより行い易くなり、資源の有効利用をより推進することが可能となると共に、部品の共通化により製造コストを低減することも可能となる。
【００５２】
なお、上述したように、上部ユニット２０や操作部ユニット４０を扉体基部１０にビス止めすることにより、前面扉体３の剛性を高めることが可能となっている。
【００５３】
以上、本発明の一実施形態を説明したが、本発明は上記実施形態に限られるものではなく、種々の態様変更を行うことが可能である。
例えば、上述した実施形態においては、可変表示部が本体筐体側に配されているが、可変表示部をリールパネルユニットに組み込むようにしてもよい。
【００５４】
また、上述した実施形態では、扉体基部において枠部の左右の側辺部を連結する連結部を設けているが、各操作部材ユニット取付領域の区分が可能であり、扉体基部の剛性を確保し得る場合には、連結部を設けなくてもよい。
【００５５】
さらに、機能部材ユニットに、履歴データを記憶する記憶手段を設けるようにしてもよい。例えば、上述した実施形態において、上部ユニット２０、リールパネルユニット３０、操作部ユニット４０、腰部ユニット５０、下部ユニット６０、左サイドランプユニット７０Ｌ、右サイドランプユニット７０Ｒの各々に固有のＩＤが付与されたＩＣチップを搭載させ、ユニットごとに製造年月日や出荷履歴等の履歴データを更新可能なように記憶させることにしてもよい。これにより、各ユニットの疲弊度等を一括管理することが可能となり、例えば、ユニットをリユースする場合、耐用年数と比較して、ユニットごとに回収時期を判断することができる。また、市場に出回っている状態において、不正なユニットに交換されてしまったとしても、上記のＩＣチップを参照することによって、即座に発見することができる。
【００５６】
さらに、上述した実施形態では、スロットマシンを例にとって説明したが、本発明は、パチンコ機や雀球遊技機等の弾球遊技機やその他の遊技機にも適用することが可能である。
【００５７】
【発明の効果】
第一の本発明の遊技機によれば、可変表示部より上側に設けられたバスレフ型スピーカは遊技者の頭の略正面に位置することになるため、遊技者の頭に極めて近い位置から、重低音が増幅されて音質が改善された音を出力することが可能となる。その結果、他の多くの音が存在する遊技場においても、臨場感に溢れた演出を行うことができる。
また、遊技者の顔は着衣によって覆われていないため、遊技者の顔の略正面から、重低音が増幅されて音質が改善された音を遊技状況に応じて出力することにより、遊技者に肌で重低音が増幅された音を体感させることができ、大当たり（ビッグボーナスゲーム）が発生したときには、遊技者の遊技に対する興奮や期待感を高揚させることができる。
【００５８】
第二の本発明の遊技機によれば、機能部材の一部に何らかの不具合が生じた場合には、その機能部材を有する機能部材ユニットのみを交換することにより、速やかに機能復帰を実行することが可能になる。
また、交換のために取り外した機能部材ユニットは、工場等において部品交換等の修理を行うことにより再利用をすることが可能であり、資源の有効利用を図ることが可能となる。
また、機種変更に際しても、機能部材ユニットの全部を交換する方法以外に、それらの一部のみを交換する方法により対処することが可能であり、機種変更の態様の多様化及び費用低減化を図ることが可能となる。
【００５９】
また、可変表示部より上側に設けられたバスレフ型スピーカは遊技者の頭の略正面に位置することになるため、遊技者の頭に極めて近い位置から、重低音が増幅されて音質が改善された音を出力することが可能となる。その結果、他の多くの音が存在する遊技場においても、臨場感に溢れた演出を行うことができる。
また、遊技者の顔は着衣によって覆われていないため、遊技者の顔の略正面から、重低音が増幅されて音質が改善された音を遊技状況に応じて出力することにより、遊技者に肌で重低音が増幅された音を体感させることができ、大当たり（ビッグボーナスゲーム）が発生したときには、遊技者の遊技に対する興奮や期待感を高揚させることができる。
【００６０】
さらに、バスレフダクトがスピーカキャビネット内に収められているため、遊技機内の構造が複雑にならず、遊技機の組み立て作業や、機能部材ユニットの交換作業を容易に行うことができ、交換に要する費用の低減や、資源の有効利用等の効果を充分に得ることが可能となる。
【図面の簡単な説明】
【図１】（ａ）は、本発明に係るバスレフ型スピーカの一例を模式的に示す斜視図であり、（ｂ）は、そのＡ−Ａ線断面図である。
【図２】本発明の一実施形態に係るスロットマシンの前面扉体を模式的に示す分解斜視図である。
【図３】本発明の一実施形態に係るスロットマシンを模式的に示す斜視図である。
【符号の説明】
１　スロットマシン
２　本体筐体
３　前面扉体
１０　扉体基部
１１　枠部
１１Ｌ　左側辺部
１１Ｒ　右側辺部
１２Ａ〜１２Ｄ　連結部
１３　上部ユニット取付領域
１４　リールパネルユニット取付領域
１５　操作部ユニット取付領域
１６　腰部ユニット取付領域
１７　下部ユニット取付領域
１８　メダル排出ロ
１９　キャンセルシュート
２０　上部ユニット
２１　上部ユニット基部
２２Ｌ、２２Ｒ　スピーカカバー
２３、４２　表示窓
２４　レンズカバー
２９、２００　バスレフ型スピーカ
２９Ａ、２０１ａ、２０１ｂ　（バスレフダクトの）開口
３０　リールパネルユニット
３１　リールパネル
３９　可変表示部
４０　操作部ユニット
４１　操作部ユニット基部
４３　メダル投入ロ
４４　スタートレバー
４５Ａ〜４５Ｃ　ストップスイッチ
５０　腰部ユニット
５１　腰部パネル
６０　下部ユニット
６１　コイントレイ
７０Ｌ　左サイドランプユニット
７０Ｒ　右サイドランプユニット
７１　サイドレンズカバー
８０　長蝶番部材
８１Ａ、８１Ｂ　ヒンジ部
９０　補強杆部材
９１　錠装置
２０１　バスレフダクト
２０４　スピーカキャビネット
２０５　スピーカユニット
【図１】
2004024359.tif 000003
【図２】
2004024359.tif 000004
【図３】
2004024359.tif 000005